(57)【要約】【課題】フレームを有しないタッチパネルを提供する。【解決手段】タッチパネルは輪郭線を備える電子装置に使用される。電子装置の表面に設ける遮蔽区域と、遮蔽区域に隣設され、大部分は輪郭線によって、透明タッチ制御区域によって、取り囲まれている透明タッチ制御区域と、を備える。本発明を適用すれば、フレームを有しないタッチパネルを設計することができる。【選択図】図１Ａ
2013246684.tif 000002
【特許請求の範囲】
【請求項１】
輪郭線を有する電子装置に適用するタッチパネルであって、
前記電子装置の一表面に設ける遮蔽区域と、
前記遮蔽区域に隣設していて、かつ大部分は前記電子装置の前記輪郭線によって、取り囲まれる透明タッチ制御区域と、を備える、
タッチパネル。
【請求項２】
前記電子装置はスマートフォンまたはタブレットＰＣであることを特徴とする、請求項１記載のタッチパネル。
【請求項３】
前記電子装置は平面表示パネルを有し、前記平面表示パネルは前記透明タッチ制御区域の下方に設けることを特徴とする、請求項１記載のタッチパネル。
【請求項４】
タッチパネルであって、
遮蔽区域と、透明タッチ制御区域と、を有する保護基板と、
複数の第１誘導電極と、複数の第１リード線と、を有し、前記第１誘導電極は前記保護基板に備える前記透明タッチ制御区域の下方に設けられ、前記第１リード線の一端はそれぞれ前記第１誘導電極に対応し接続していて、かつ前記第１リード線は前記保護基板に備える前記遮蔽区域の下方に設ける第１誘導電極層と、
前記第１誘導電極層の下方に設けていて、かつ複数の第２誘導電極と、複数の第２リード線と、を有し、前記第２誘導電極は一表面に設けていて、かつ前記保護基板に備える前記透明タッチ制御区域の下方に位置し、前記第２リード線はもう一つの表面に設けていて、かつ前記第２リード線の一端はそれぞれ前記第２誘導電極に対応して接続する第２誘導電極層と、を備える、
タッチパネル。
【請求項５】
前記第２リード線は前記第２誘導電極層の側縁部に沿って延在して、対応する前記第２誘導電極に接続することを特徴とする、請求項４記載のタッチパネル。
【請求項６】
前記第２誘導電極層は複数の通し穴を設けられ、かつ各前記第２誘導電極は前記通し穴を介して、対応する前記第２リード線に接続することを特徴とする、請求項４記載のタッチパネル。
【請求項７】
前記第２誘導電極層は複数の通し穴を設けられ、かつ各前記第２リード線は前記通し穴を介して、対応する前記第２誘導電極に接続することを特徴とする、請求項４記載のタッチパネル。
【請求項８】
前記第２リード線の部材はグラフェン、インジウム錫酸化物、インジウム酸化亜鉛、酸化亜鉛アルミニウムのいずれかより選択することを特徴とする、請求項４記載のタッチパネル。
【請求項９】
前記保護基板はガラス、ポリカーボネート（ＰＣ）、テレフタル酸ポリエチレン（ＰＥＴ）、ポリメタクリル酸メチル（ＰＭＭＡ）または環状オレフィンコポリマー（ＣＯＣ）などのいずれかからなる透明状の薄板であることを特徴とする、請求項４記載のタッチパネル。
【請求項１０】
前記遮蔽区域の部材は、インキ、有色フォーとレジスト、有機材または無期材などの不透明部材のいずれかより選択することを特徴とする、請求項４記載のタッチパネル。
【発明の詳細な説明】
【技術分野】
【０００１】
本発明は、フレームを有しないタッチパネルに関するものである。
科学技術の進歩に従い、携帯通信装置、デジタルカメラ、デジタルミュージックプレイヤー（ＭＰ３）、携帯型情報端末（ＰＤＡ）、全地球測位装置（ＧＰＳ）など、一般の電子製品はすでにタッチパネルを主な操作インタフェースとして、使用者と電子製品との間に対話式による入力操作を提供し、人間と装置とコミュニケーションするときのやさしさを向上させると共に、入力するときの操作効率が引き上げられている。
【背景技術】
【０００２】
現在市販のタッチ装置は、通常スクリーンを有し、生き生きとして活気ある画面を提供するほか、使用者がスクリーンにてタッチ操作をすることができる。しかし、スクリーン内部の金属回路を覆い被せるため、また美観を図るために、一般的に、タッチパネルの周縁部にフレームまたはアイコン層（ＩＣＯＮ）が塗布されている。しかし、消費者の電子製品に対する美的観念が絶えずに変化しているほか、大型スクリーンのタッチパネル嗜好から、フレームを有しないタッチパネルのコンセプトが誕生することになった。
【発明の概要】
【発明が解決しようとする課題】
【０００３】
フレームを有しないタッチ装置を実現するため、まず不透明な金属回路を隠す必要がある。しかし、公知技術には乗り越えることができないボトルネックが存在している。
【課題を解決するための手段】
【０００４】
そのため、本発明の目的は公知技術の不足点を改善し、表示面積を増加させ、かつ美観性を兼ね合わせることができる、フレームを有しないタッチパネルを提供する。
【０００５】
前述の目的を達成するため、本発明より提供するフレームを有しないタッチパネルは、タッチパネルは輪郭線を備える電子装置に使用する。電子装置の表面に設ける遮蔽区域と、遮蔽区域に隣設され、その大部分は輪郭線によって、取り囲まれている透明タッチ制御区域と、を備える。
【０００６】
一実施例において、本発明によるタッチパネルは、遮蔽区域と、透明タッチ制御区域と、を有する保護基板と、複数の第１誘導電極と、複数の第１リード線と、を有し、前記第１誘導電極は保護基板に備える透明タッチ制御区域の下方に設け、第１リード線の一端はそれぞれ第１誘導電極に対応して接続し、かつ第１リード線は保護基板に備える遮蔽区域の下方に設ける第１誘導電極層と、第１誘導電極層の下方に設けられ、複数の第２誘導電極と、複数の第２リード線と、を有し、第２誘導電極は第２誘導電極層の一表面に設け、かつ保護基板に備える透明タッチ制御区域の下方に位置し、第２リード線は第２誘導電極層もう一つの表面に設けていて、かつ第２リード線はそれぞれ第２誘導電極に対応して接続する第２誘導電極層と、を備える。
【図面の簡単な説明】
【０００７】
【図１Ａ】本発明の好ましい実施例による外観態様図である。
【図１Ｂ】本発明の好ましい実施例による操作態様図である。
【図２】本発明の好ましい実施例による構造態様図である。
【図３】本発明の好ましい実施例による第２誘導電極と第２リード線の接続断面図（その１）である。
【図４】本発明の好ましい実施例による第２誘導電極と第２リード線の接続断面図（その２）である。
【図５】本発明の好ましい実施例による第２誘導電極と第２リード線の接続断面図（その３）である。
【発明を実施するための形態】
【０００８】
本発明の内容のさらなる理解を図るため、以下にて図面と合わせて説明する。
【実施例】
【０００９】
図１Ａと図１Ｂの、本発明の好ましい実施例による外観態様図と、操作態様図を参照する。図に示すように、本発明によるタッチパネル１２は電子装置１に適用される。電子装置１は例えば、スマートフォンまたはタブレットＰＣなどのポータブル電子装置であり、輪郭線１０を有する。
タッチパネル１２は遮蔽区域１２００と、透明タッチ制御区域１２０２と、を有し、遮蔽区域１２００は電子装置１の一表面に設けられ、透明タッチ制御区域１２０２は遮蔽区域１２００に隣設していて、かつ透明タッチ制御区域１２０２の大部分は電子装置１の輪郭線１０によって取り囲まれている。図１Ｂに示すように、遮蔽区域１２００のほか、使用者は透明タッチ制御区域１２０２いずれかの位置にてタッチ制御ができ、前述位置は電子装置１の輪郭線１０をぎりぎりに接近しても良い。よって、電子装置１は最大名可視面積と操作面積が得られる。
【００１０】
図２の、本発明の好ましい実施例による構造態様図を参照する。本発明を適用した電子装置１はタッチパネル１２と、平面表示パネル１４と、フレキシブルプリント基板１６と、を備える。そのうち、タッチパネル１２は、保護基板１２０と、第１誘導電極層１２２と、第２誘導電極層１２３と、を有する。そのうち、保護基板１２０は遮蔽区域１２００と、透明タッチ制御区域１２０２と、を有する。
本実施例において、保護基板１２０はガラス、ポリカーボネート（ＰＣ）、テレフタル酸ポリエチレン（ＰＥＴ）、ポリメタクリル酸メチル（ＰＭＭＡ）または環状オレフィンコポリマー（ＣＯＣ）などのいずれかの部材からなる透明状の薄板である。遮蔽区域１２００の部材は、インキ、有色フォーとレジスト、有機材または無機材などの不透明部材のいずれかより選択する。
【００１１】
第１誘導電極層１２２は複数の第１誘導電極と、複数の第１リード線と、を有する。そのうち、第１誘導電極１２２１は保護基板１２０に備える透明タッチ制御区域１２０２の下方に設けられ、第１リード線１２２２の一端はそれぞれ第１誘導電極１２２１に対応し接続していて、かつ第１リード線１２２２は保護基板１２０に備える遮蔽区域１２００の下方に設けられている。このほか、各第１リード線１２２２の他端は第１電気導通部１２２３に延在され、各第１電気導通部１２２３は第１誘導電極層１２２一側の中央部に位置し、フレキシブルプリント基板１６と電気接続する。特に注意したいところは、本発明による第１誘導電極１２２１はインジウム錫酸化物（Ｉｎｄｉｕｍ  Ｔｉｎ  Ｏｘｉｄｅ，  ＩＴＯ）から選択し、かつ第１リード線１２２２は銀線を選択することが好ましく、抵抗が小さく、信号の伝送にふさわしい。
【００１２】
第２誘導電極層１２３は第１誘導電極層１２２の下方に設けていて、かつ複数の第２誘導電極１２３１と、複数の第２リード線１２３２と、を有する、第２誘導電極１２３１は第２誘導電極層１２３の一表面に設けていて、かつ保護基板１２０に備える透明タッチ制御区域１２０２の下方に位置する、前記第２リード線１２３２はもう一つの表面に設けていて、かつ第２リード線１２３２の一端はそれぞれ第２誘導電極１２３１に対応して接続されている。さらに、各第２リード線１２３２の他端は第２電気導通部１２３３に延在され、各第２電気導通部１２３３は第２誘導電極層１２３一側縁部の両側部位に位置する。
よって、各第１電気導通部１２２３と、各第２電気導通部１２３３との間は電気絶縁を形成していて、かつ各第２電気導通部１２３３はフレキシブルプリント基板１６と電気接続することができる。特に注意したいところは、本発明による第２誘導電極１２３１はインジウム錫酸化物（Ｉｎｄｉｕｍ  Ｔｉｎ  Ｏｘｉｄｅ，  ＩＴＯ）を選択することが好ましい。第２リード線１２３２の部材は、グラフェン、インジウム錫酸化物、インジウム酸化亜鉛、酸化亜鉛アルミニウムなど透明導電材のいずれかから選択することが好ましく、肉眼で第２リード線１２３２の存在を確認しにくいである。このほか、極細い線幅の金属リード線を第２リード線１２３２に使用しても、同じく肉眼で視認しにくい効果がある。
このほか、特に説明すべきことは、電子装置１の平面表示パネル１４は透明タッチ制御区域１２０２の下方に設けられているため、平面表示パネル１４の影像は順を追って、第２誘導電極層１２３、第１誘導電極層１２２、透明タッチ制御区域１２０２、最後は使用者の目に届くことができる。
【００１３】
図３ないし５の、本発明の好ましい実施例による第２誘導電極と第２リード線の各種接続断面図を併せて参照する。図３に示すように、本発明による第２誘導電極１２３は特別に設計されている。各第２リード線１２３２は第２誘導電極層１２３の側縁部に沿って対応の第２誘導電極１２３１に接続することによって、第２誘導電極層１２３最上面の各第２誘導電極１２３１と、第２誘導電極層１２３の底面に備える各第２電気導通部１２３３と電気導通の態様が形成される。
このほか、図４に示すように、第２誘導電極層１２３は複数の通し穴１２３４を設けていて、かつ各第２誘導電極１２３１は通し穴１２３４を貫いて、対応の第２リード線１２３２に接続した後、第２電気導通部１２３３と、電気導通を形成する。
引き続き、図５では、図４の実施態様と異なり、各第２リード線１２３２は通し穴１２３４を貫いて、対応の第２誘導電極１２３１に接続されている。
【００１４】
本発明は第２リード線１２３２を第２誘導電極層１２３の底面に設けることによって、タッチパネル１２のタッチ検出面積と表示区域を同時に増大できるほか、フレームを有しない美観という目的を達成することができる。
【符号の説明】
【００１５】
１      電子装置
１０    輪郭線
１２    タッチパネル
１４    平面表示パネル
１６    フレキシブルプリント配線板
１２０  保護基板
１２００  遮蔽区域
１２０２  透明タッチ制御区域
１２２    第１誘導電極層
１２２１  第１誘導電極
１２２２  第１リード線
１２２３  第１電気導通部
１２３    第２誘導電極層
１２３１  第２誘導電極
１２３２  第２リード線
１２３３  第２電気導通部
１２３４  通し穴
【図１Ａ】
2013246684.tif 000003
【図１Ｂ】
2013246684.tif 000004
【図２】
2013246684.tif 000005
【図３】
2013246684.tif 000006
【図４】
2013246684.tif 000007
【図５】
2013246684.tif 000008